(57)【要約】【課題】硬貨の取り出し性を損ねることなく、硬貨返却口に対する悪戯を防止すること。【解決手段】開閉蓋２５に設けた軸２５ａと、軸２５ａを支承する溝壁部２４ｄとを備え、開閉蓋２５を硬貨返却口２４の内部方向に押し開くように構成した硬貨返却口開閉装置２１において、開閉蓋２５が硬貨返却口２４を閉塞した時に軸２５ａに形成した凸部２５ｂと溝壁部２４ｄとを当接させて開閉蓋２５の硬貨返却口２４の外部方向への開放を防止するようにした。【選択図】　　　図１
2004021389.tif 000002
【特許請求の範囲】
【請求項１】
軸と軸受部とから成る支承手段を介して前記軸の軸心回りに揺動可能に配設し、常態において硬貨返却口を閉塞する一方、内部方向に向けて揺動することにより前記硬貨返却口を開成する開閉蓋を備えた硬貨返却口開閉装置において、
前記軸と前記軸受部との間に、前記硬貨返却口を閉塞した位置から外部方向に向かう前記開閉扉の揺動を防止する開放防止手段を設けたことを特徴とする硬貨返却口開閉装置。
【請求項２】
前記開放防止手段は、前記軸に形成した凸部を備え、前記開閉蓋が前記硬貨返却口を閉塞した時に前記凸部を前記軸受部の壁部に当接させて前記開閉蓋の外部方向に向かう揺動を阻止するものであることを特徴とする請求項１に記載の硬貨返却口開閉装置。
【発明の詳細な説明】
【０００１】
【発明の属する技術分野】
この発明は、硬貨返却口の内部方向に押し開くように構成した開閉蓋を備える硬貨返却口開閉装置に関し、更に詳しくは、自動販売機に好適な硬貨返却口開閉装置に関するものである。
【０００２】
【従来の技術】
従来の技術にかかる硬貨返却口開閉装置について説明する。なお、硬貨返却口開閉装置は自動販売機に適用されるものである。まず、図６に基づいて自動販売機１について概説する。自動販売機１の本体の開口面には外扉２が開閉可能に取り付けられている。外扉２の外表面には商品３を展示する展示室４と、展示室４に展示した商品３の選択を行う選択ボタン５と、硬貨を投入する硬貨投入口６と、紙幣を挿入する紙幣挿入口７と、取引を中断するための返却レバー８とを配置してある。外扉２の内表面には、硬貨投入口６に連通して硬貨を受け入れてつり銭を払い出すコインメカニズムと、コインメカニズムから払い出された硬貨を振り分ける硬貨振分部材１０（図７参照）と、硬貨振分部材１０により振り分けられた硬貨を受け入れる硬貨返却口開閉装置１１とを配置してある。コインメカニズムは受け入れた硬貨を識別し、金種ごとに貯留し、必要なとき（たとえばつり銭の払い出し）に硬貨を払い出すものである。硬貨振分部材１０はつり銭を硬貨返却口開閉装置１１に、コインメカニズムのオーバフローした硬貨をキャッシュボックス（不図示）に振り分けるものである。また、返却レバー８を操作したときには、硬貨投入口６から投入した硬貨を、コインメカニズムと硬貨振分部材１０とを経由して硬貨返却口開閉装置１１に受け入れる。
【０００３】
図７に示すように、硬貨返却口開閉装置１１は、硬貨振分部材１０の下方に取り付けてあり、硬貨返却口１４と、硬貨返却口１４の内部方向に押し開くように構成した開閉蓋１５とを有している。硬貨返却口１４は硬貨受皿部１４ａと、硬貨を取り出す硬貨返却口部１４ｂと、硬貨受皿部１４ａと硬貨返却口部１４ｂとに連接する側壁部１４ｃとから構成され、硬貨返却口１４の両側の側壁部１４ｃには、軸受部となるＵ字状の溝壁部１４ｄが形成してある。一方、開閉蓋１５の上方には開閉蓋１５と一体に軸１５ａを形成してある。この開閉蓋１５の軸１５ａをＵ字状の溝壁部１４ｄで支承することにより、開閉蓋１５を硬貨返却口１４の内部方向に押し開くことができるように構成してある。なお、開閉蓋１５は硬貨受皿部１４ａに払い出された硬貨を視認できるように透明の樹脂で作成してある。
【０００４】
このように構成した硬貨返却口開閉装置１１によれば、硬貨受皿部１４ａに放出された硬貨の散乱を防止することができ、開閉蓋１５を押し開くことにより硬貨返却口部１４ｂから硬貨を簡単に取り出すことができる。また、硬貨返却口部１４ｂから硬貨を取り出す時以外は、開閉蓋１５により閉塞されているので、塵埃の侵入を防ぐことができる。
【０００５】
【発明が解決しようとする課題】
ところで、上述したように通常の自動販売機にあっては、硬貨返却口開閉装置１１の開閉蓋１５が樹脂で作成してあるので、比較的剛性が小さい。このため、開閉蓋１５を硬貨返却口部１４ｂより強引に外部方向（自動販売機に向かって手前方向）に引き出すように変形させて、硬貨返却口部１４ｂの内部に異物を挿入するという悪戯が行われる虞れがある。このような悪戯を防止するためには、硬貨返却口部１４ｂの間口を狭める、硬貨返却口部１４ｂの開口部分に突起を設ける、等の対策が取られている。
【０００６】
しかしながら、硬貨返却口部１４ｂの間口を狭める、硬貨返却口部１４ｂの開口部分に突起を設ける等の対策は、いずれも硬貨の取り出し性を損ねるという弊害を伴うものである。
【０００７】
そこで、この発明は、上記に鑑みてなされたものであって、硬貨の取り出し性を損ねることなく、硬貨返却口に対する悪戯を防止することのできる硬貨返却口開閉装置を得ることを目的とする。
【０００８】
【課題を解決するための手段】
上述の目的を達成するために、請求項１にかかる硬貨返却口開閉装置は、軸と軸受部とから成る支承手段を介して前記軸の軸心回りに揺動可能に配設し、常態において硬貨返却口を閉塞する一方、内部方向に向けて揺動することにより前記硬貨返却口を開成する開閉蓋を備えた硬貨返却口開閉装置において、前記軸と前記軸受部との間に、前記硬貨返却口を閉塞した位置から外部方向に向かう前記開閉扉の揺動を防止する開放防止手段を設けたことを特徴とする。
【０００９】
この発明によれば、開閉蓋が硬貨返却口を閉塞した時に軸と軸受部との間に開閉蓋の外部方向への開放を防止する開放防止手段を設けたので、硬貨の取出し性を損ねることなく、硬貨返却口に対する悪戯を効果的に防止することができるようになる。
【００１０】
また、請求項２にかかる自動販売機は、上記請求項１において、前記開放防止手段が、前記軸に形成した凸部を備え、前記開閉蓋が前記硬貨返却口を閉塞した時に前記凸部を前記軸受部の壁部に当接させて前記開閉蓋の外部方向に向かう揺動を阻止するものであることを特徴とする。
【００１１】
この発明によれば、開放防止手段が、軸に形成した凸部を備え、開閉蓋が硬貨返却口を閉塞した時に凸部を軸受部の壁部に当接させて開閉蓋の外部方向への開放を防止するので、簡単な構造により、開閉蓋の硬貨返却口の外部方向への開放を効果的に防止することができる。
【００１２】
【発明の実施の形態】
以下に添付図面を参照して、この発明にかかる硬貨返却口開閉装置の好適な実施の形態を詳細に説明する。図１は本発明の実施の形態である硬貨返却口開閉装置の断面図、図２は図１に示した硬貨返却口開閉装置に適用する開閉蓋の正面図、図３は図２に示した開閉蓋の断面図、図４は硬貨返却口開閉装置の平面図、図５は開閉蓋を押し開いた時の硬貨返却口開閉装置の断面図である。なお、本発明の実施の形態にかかる硬貨開閉装置は、従来の技術に係る硬貨返却口開閉装置と同様に図６に示す自動販売機１に適用するものである。
【００１３】
図１に示すように、硬貨返却口開閉装置２１は、外扉２の内部に配置した硬貨返却口２４と、硬貨返却口２４を覆う開閉蓋２５とから構成してある。開閉蓋２５の上方には、図２及び図３に示すように、軸２５ａを開閉蓋２５と一体に形成してある。
【００１４】
一方、硬貨返却口２４は、コインメカニズムから硬貨振分部材１０を介して払い出した硬貨を受ける硬貨受皿部２４ａと、硬貨受皿部２４ａに連なり硬貨を取り出すための硬貨返却口部２４ｂと、硬貨受皿部２４ａ及び硬貨返却口部２４ｂに連接する側壁部２４ｃとからなる。また、硬貨返却口２４の両側の側壁部２４ｃには、Ｕ字状の溝壁部２４ｄを形成してある。この溝壁部２４ｄは開閉蓋２５の軸２５ａを支承するための軸受部を構成する部分であり、該軸２５ａと共に開閉蓋２５の支承手段を構成するものである。すなわち、開閉蓋２５はこの支承手段を介して軸２５ａの軸心回りに揺動することが可能であり、常態において重力の作用により垂下して硬貨返却口２４を閉塞する一方、硬貨を取り出す時には硬貨返却口２４の内部方向に押し開くことができる。なお、開閉蓋２５は従来の技術にかかる硬貨返却口開閉装置１１と同様に、透明の樹脂で作成してある。
【００１５】
また、開閉蓋２５の軸２５ａの一方の端部には、開放防止手段として、軸２５ａと一体に凸部２５ｂを形成してある。そして、図４に示すように、開閉蓋２５が硬貨返却口部２４ｂを閉塞した時に、軸２５ａに形成した凸部２５ｂは溝壁部２４ｄに当接して開閉蓋２５が硬貨返却口部２４ｂの外部方向へ揺動するのを防止するように構成してある。なお、凸部２５ｂは開閉蓋２５を硬貨返却口２４の内部方向への開放を規制しないので、開閉蓋２５を硬貨返却口２４の内部方向に押し開くことができる。
【００１６】
このような硬貨返却口開閉装置２１によれば、図１に示すように、硬貨返却口２４から硬貨を取り出す時以外は硬貨返却口２４が開閉蓋２５により覆われているので、塵埃の侵入を防止することできる。
【００１７】
一方、払い出されたつり銭、または返却レバー８の操作により取引を中断し払い戻された返却金を取り出す場合には、図５に示すように、開閉蓋２５を硬貨返却口２４の内部方向に押し開くことにより、硬貨返却口２４の硬貨受皿部２４ａから簡単に硬貨を取り出すことができる。
【００１８】
ここで、上記のように構成した硬貨返却口開閉装置２１によれば、硬貨返却口２４の内部に悪戯をしようとする者がいても、開閉蓋２５は硬貨返却口２４の内部方向に必要なだけ押し開くことができるのみであり、硬貨返却口２４の外部方向に開くことはできないので、硬貨返却口開閉装置２１の開閉蓋２５に阻害されて、硬貨返却口２４の内部に自動販売機の機能を損なうような重大な障害を引き起こす悪戯を防止することができる。しかも、上述したように開閉蓋２５の開放を防止するための凸部２５ｂを該開閉蓋２５の軸２５ａに設けているため、硬貨の取り出し性に何等の影響を与えることもない。
【００１９】
なお、実施の形態にかかる返却口開閉装置では、開閉蓋２５と、軸２５ａと、凸部とを一体に成形するものとしたが、開閉蓋２５に軸２５ａを取り付けて、さらに軸２５ａに凸部を取り付けるものとしても良い。また、軸２５ａの一方の端部に凸部２５ｂを形成するものとしたが、軸２５ａの両方の端部に凸部２５ｂを形成しても良い。
【００２０】
また、硬貨返却口２４の側壁部２４ｃにＵ字状の溝壁部２４ｄを形成して、軸２５ａを支承するものとしたが、側壁部２４ｃに溝壁部２４ｄを形成することなく、別途、軸２５ａを支承する軸受部材を取り付けて軸２５ａと軸受部材との間で、軸２５ａの回動を規制することにより、硬貨返却口２４の外部方向への開放を防止してもよい。
【００２１】
また、開閉蓋２５に軸２５ａを形成し、硬貨返却口２４の側壁部２４ｃに軸受部を構成する溝壁部２４ｄを形成するものとしたが、硬貨返却口２４の側壁部２４ｃに軸を形成し、開閉蓋２５に軸受部を形成してもよい。なお、この場合においても軸と軸受部との間に開放防止手段を設けることはいうまでもない。
【００２２】
【発明の効果】
以上説明したように、この発明に係る硬貨返却口開閉装置（請求項１）によれば、開閉蓋が硬貨返却口を閉塞した時に軸と軸受部との間に開閉蓋の外部方向への開放を防止する開放防止手段を設けたので、硬貨の取出し性を損ねることなく、硬貨返却口に対する悪戯を効果的に防止することができるようになる。
【００２３】
また、この発明に係る硬貨返却口開閉装置（請求項２）によれば、開放防止手段が、軸に形成した凸部を備え、開閉蓋が硬貨返却口を閉塞した時に凸部を軸受部の壁部に当接させて開閉蓋の外部方向への開放を防止するので、簡単な構造により、開閉蓋の硬貨返却口の外部方向への開放を効果的に防止することができる。
【図面の簡単な説明】
【図１】
本発明の実施の形態である硬貨返却口開閉装置の断面図である。
【図２】
図１に示した硬貨返却口開閉装置に適用する開閉蓋の正面図である。
【図３】
図２に示した開閉蓋の断面図である。
【図４】
この発明にかかる硬貨返却口開閉装置の平面図である。
【図５】
開閉蓋を押し開いた時の硬貨返却口開閉装置の断面図である。
【図６】
この発明を適用する自動販売機の外観図である。
【図７】
従来の技術にかかる硬貨返却口開閉装置の斜視図である。
【符号の説明】
１　自動販売機
２　外扉
２１　硬貨返却口開閉装置
２４　硬貨返却口
２４ａ　硬貨受皿部
２４ｂ　硬貨返却口部
２４ｃ　側壁部
２４ｄ　溝壁部
２５　開閉蓋
２５ａ　軸
２５ｂ　凸部
【図１】
2004021389.tif 000003
【図２】
2004021389.tif 000004
【図３】
2004021389.tif 000005
【図４】
2004021389.tif 000006
【図５】
2004021389.tif 000007
【図６】
2004021389.tif 000008
【図７】
2004021389.tif 000009